(57)【特許請求の範囲】
【請求項１】
移動局と無線通信するための複数の基地局と、コア網に接続されるアクセスゲートウェイ（ＡＧＷ）とからなり、前記各基地局と前記ＡＧＷとの間にデータパケット転送用のトンネルが形成される移動無線通信システムにおいて、
前記ＡＧＷが、アクセス網を介して前記複数の基地局と制御メッセージを交信する制御用のアクセスゲートウェイ部（Ｃ−ＡＧＷ）と、前記アクセス網を介して前記複数の基地局とデータパケットを交信するデータ転送用のアクセスゲートウェイ部（Ｕ−ＡＧＷ）とからなり、
前記Ｃ−ＡＧＷが、
移動局の識別子と対応づけて、トンネルの１端となる基地局のアドレスと、該トンネルの他端となるＵ−ＡＧＷのアドレスとを記憶した複数のテーブルエントリからなる第１の管理テーブルと、
何れかの基地局から、移動局識別子を含むトンネル設定要求メッセージを受信したとき、トンネルの終端となるべきＵ−ＡＧＷのアドレスを示す応答メッセージを前記基地局に返送する制御部とを有し、
前記制御部が、前記第１の管理テーブルから前記トンネル設定要求メッセージが示す移動局識別子に対応するテーブルエントリを検索し、前記トンネル設定用メッセージが示す移動局識別子に対応するテーブルエントリが前記第１の管理テーブルに登録済みの場合は、該テーブルエントリが示すＵ−ＡＧＷのアドレスを前記応答メッセージで前記基地局に通知し、前記トンネル設定要求メッセージが示す移動局識別子に対応するテーブルエントリが前記第１の管理テーブルに未登録の場合は、前記複数のＵ−ＡＧＷのうちから選択された特定のＵ−ＡＧＷのアドレスを前記応答メッセージで前記基地局に通知することを特徴とする移動無線通信システム。
【請求項２】
前記Ｃ−ＡＧＷの制御部が、前記第１の管理テーブルに前記トンネル設定要求メッセージが示す移動局識別子に対応するテーブルエントリが未登録の場合、前記トンネル設定要求メッセージが示す移動局識別子と対応づけて、該トンネル設定要求メッセージの送信元基地局のアドレスと、前記特定のＵ−ＡＧＷのアドレスとを示す新たなテーブルエントリを前記第１の管理テーブルに登録することを特徴とする請求項１に記載の移動無線通信システム。
【請求項３】
前記トンネル設定要求メッセージが、前記移動局識別子をもつ移動局のハンドオーバ先となる基地局から送信されたものであった場合、前記Ｃ−ＡＧＷの制御部が、前記第１の管理テーブルに登録されている、前記トンネル設定要求メッセージが示す移動局識別子に対応するテーブルエントリの基地局アドレスを、前記トンネル設定要求メッセージの送信元基地局のアドレスに書き換えることを特徴とする請求項２に記載の移動無線通信システム。
【請求項４】
前記トンネル設定要求メッセージが、前記移動局識別子をもつ移動局が使用中の第１のトンネルと共存すべき第２のトンネルの設定要求であった場合、前記Ｃ−ＡＧＷの制御部が、前記第１の管理テーブルに、前記トンネル設定要求メッセージが示す移動局識別子と対応づけて、該トンネル設定要求メッセージの送信元基地局のアドレスと、前記第１のトンネルの設定要求時に前記複数のＵ−ＡＧＷのうちから選択されたＵ−ＡＧＷのアドレスと同一のＵ−ＡＧＷのアドレスを示す新たなテーブルエントリを登録することを特徴とする請求項２に記載の移動無線通信システム。
【請求項５】
前記Ｃ−ＡＧＷが、前記Ｕ−ＡＧＷ毎に消費された通信リソース量を示すＵ−ＡＧＷ状態テーブルを備え、
前記トンネル設定要求メッセージが示す移動局識別子に対応するテーブルエントリが前記第１の管理テーブルに未登録の場合、前記制御部が、前記Ｕ−ＡＧＷ状態テーブルから消費通信リソース量が最小のＵ−ＡＧＷを選択して、該Ｕ−ＡＧＷのアドレスを前記応答メッセージで前記基地局に通知することを特徴とする請求項１〜請求項４の何れかに記載の移動無線通信システム。
【請求項６】
前記Ｃ−ＡＧＷが、前記移動局の識別子と対応づけて、該移動局に保証すべき通信品質情報を記憶した複数のテーブルエントリからなる第２の管理テーブルを有し、
前記トンネル設定要求メッセージが示す移動局識別子に対応するテーブルエントリが前記第１の管理テーブルに未登録の場合、前記制御部が、前記第２の管理テーブルから前記トンネル設定要求メッセージが示す移動局識別子と対応する通信品質情報を検索し、前記複数のＵ−ＡＧＷの中から前記通信品質情報に応じた特定のＵ−ＡＧＷを選択することを特徴とする請求項１〜請求項４の何れかに記載の移動無線通信システム。
【請求項７】
前記複数のＵ−ＡＧＷのうちの少なくとも１つが、特定の通信サービス用に専用化されており、
前記第２の管理テーブルに記憶された通信品質情報が通信サービスクラス情報を含み、
前記トンネル設定要求メッセージが示す移動局識別子に対応するテーブルエントリが前記第１の管理テーブルに未登録の場合、前記制御部が、前記第２の管理テーブルから前記トンネル設定要求メッセージが示す移動局識別子と対応するテーブルエントリを検索し、該テーブルエントリが前記特定の通信サービスと対応する通信サービスクラス情報を含んでいたとき、前記特定の通信サービス用に専用化されたＵ−ＡＧＷを選択することを特徴とする請求項６に記載の移動無線通信システム。
【請求項８】
前記第２の管理テーブルに記憶された通信品質情報がサービス優先度を含み、
前記トンネル設定要求メッセージが示す移動局識別子に対応するテーブルエントリが前記第１の管理テーブルに未登録の場合、前記制御部が、前記第１の管理テーブルと第２の管理テーブルに基づいて、前記Ｕ−ＡＧＷ毎にサービス優先度が最上位となるトンネル本数を算出し、該トンネル本数が最小となるＵ−ＡＧＷを選択することを特徴とする請求項６に記載の移動無線通信システム。
【請求項９】
前記第２の管理テーブルに記憶された通信品質情報が帯域値を含み、
前記トンネル設定要求メッセージが示す移動局識別子に対応するテーブルエントリが前記第１の管理テーブルに未登録の場合、前記制御部が、前記第１の管理テーブルと第２の管理テーブルに基づいて、前記Ｕ−ＡＧＷ毎に設定済みのトンネルに保証した帯域の合計値を算出し、該帯域の合計値が最小となるＵ−ＡＧＷを選択することを特徴とする請求項６に記載の移動無線通信システム。
【請求項１０】
移動局と無線通信するための複数の基地局とコア網との間に配置されるアクセスゲートウェイ（ＡＧＷ）であって、
アクセス網を介して前記複数の基地局と制御メッセージを交信する制御用のアクセスゲートウェイ部（Ｃ−ＡＧＷ）と、
前記アクセス網を介して前記複数の基地局とデータパケットを交信するデータ転送用のアクセスゲートウェイ部（Ｕ−ＡＧＷ）とからなり、
前記Ｃ−ＡＧＷが、
移動局の識別子と対応づけて、トンネルの１端となる基地局のアドレスと、該トンネルの他端となるＵ−ＡＧＷのアドレスとを記憶した複数のテーブルエントリからなる第１の管理テーブルと、
何れかの基地局から、移動局識別子を含むトンネル設定要求メッセージを受信したとき、トンネルの終端となるべきＵ−ＡＧＷのアドレスを示す応答メッセージを前記基地局に返送する制御部とを有し、
前記制御部が、前記第１の管理テーブルから前記トンネル設定要求メッセージが示す移動局識別子に対応するテーブルエントリを検索し、前記トンネル設定用メッセージが示す移動局識別子に対応するテーブルエントリが前記第１の管理テーブルに登録済みの場合は、該テーブルエントリが示すＵ−ＡＧＷのアドレスを前記応答メッセージで前記基地局に通知し、前記トンネル設定要求メッセージが示す移動局識別子に対応するテーブルエントリが前記第１の管理テーブルに未登録の場合は、前記複数のＵ−ＡＧＷのうちから選択された特定のＵ−ＡＧＷのアドレスを前記応答メッセージで前記基地局に通知することを特徴とするアクセスゲートウェイ。
【請求項１１】
前記Ｃ−ＡＧＷの制御部が、前記第１の管理テーブルに前記トンネル設定要求メッセージが示す移動局識別子に対応するテーブルエントリが未登録の場合、前記トンネル設定要求メッセージが示す移動局識別子と対応づけて、該トンネル設定要求メッセージの送信元基地局のアドレスと、前記特定のＵ−ＡＧＷのアドレスとを示す新たなテーブルエントリを前記第１の管理テーブルに登録することを特徴とする請求項１０に記載のアクセスゲートウェイ。
【請求項１２】
前記トンネル設定要求メッセージが、前記移動局識別子をもつ移動局のハンドオーバ先となる基地局から送信されたものであった場合、前記Ｃ−ＡＧＷの制御部が、前記第１の管理テーブルに登録されている、前記トンネル設定要求メッセージが示す移動局識別子に対応するテーブルエントリの基地局アドレスを、前記トンネル設定要求メッセージの送信元基地局のアドレスに書き換えることを特徴とする請求項１１に記載のアクセスゲートウェイ。
【請求項１３】
前記トンネル設定要求メッセージが、前記移動局識別子をもつ移動局が使用中の第１のトンネルと共存すべき第２のトンネルの設定要求であった場合、前記Ｃ−ＡＧＷの制御部が、前記第１の管理テーブルに、前記トンネル設定要求メッセージが示す移動局識別子と対応づけて、該トンネル設定要求メッセージの送信元基地局のアドレスと、前記第１のトンネルの設定要求時に前記複数のＵ−ＡＧＷのうちから選択されたＵ−ＡＧＷのアドレスと同一のＵ−ＡＧＷのアドレスを示す新たなテーブルエントリを登録することを特徴とする請求項１１に記載のアクセスゲートウェイ。
【請求項１４】
前記Ｃ−ＡＧＷが、前記Ｕ−ＡＧＷ毎に消費された通信リソース量を示すＵ−ＡＧＷ状態テーブルを備え、
前記トンネル設定要求メッセージが示す移動局識別子に対応するテーブルエントリが前記第１の管理テーブルに未登録の場合、前記制御部が、前記Ｕ−ＡＧＷ状態テーブルから消費通信リソース量が最小のＵ−ＡＧＷを選択して、該Ｕ−ＡＧＷのアドレスを前記応答メッセージで前記基地局に通知することを特徴とする請求項１０〜請求項１３の何れかに記載のアクセスゲートウェイ。
【請求項１５】
前記Ｃ−ＡＧＷが、前記移動局の識別子と対応づけて、該移動局に保証すべき通信品質情報を記憶した複数のテーブルエントリからなる第２の管理テーブルを有し、
前記トンネル設定要求メッセージが示す移動局識別子に対応するテーブルエントリが前記第１の管理テーブルに未登録の場合、前記制御部が、前記第２の管理テーブルから前記トンネル設定要求メッセージが示す移動局識別子と対応する通信品質情報を検索し、前記複数のＵ−ＡＧＷの中から前記通信品質情報に応じた特定のＵ−ＡＧＷを選択することを特徴とする請求項１０〜請求項１３の何れかに記載のアクセスゲートウェイ。
【請求項１６】
前記複数のＵ−ＡＧＷのうちの少なくとも１つが、特定の通信サービス用に専用化されており、
前記第２の管理テーブルに記憶された通信品質情報が通信サービスクラス情報を含み、
前記トンネル設定要求メッセージが示す移動局識別子に対応するテーブルエントリが前記第１の管理テーブルに未登録の場合、前記制御部が、前記第２の管理テーブルから前記トンネル設定要求メッセージが示す移動局識別子と対応するテーブルエントリを検索し、該テーブルエントリが前記特定の通信サービスと対応する通信サービスクラス情報を含んでいたとき、前記特定の通信サービス用に専用化されたＵ−ＡＧＷを選択することを特徴とする請求項１５に記載のアクセスゲートウェイ。
【請求項１７】
前記第２の管理テーブルに記憶された通信品質情報がサービス優先度を含み、
前記トンネル設定要求メッセージが示す移動局識別子に対応するテーブルエントリが前記第１の管理テーブルに未登録の場合、前記制御部が、前記第１の管理テーブルと第２の管理テーブルに基づいて、前記Ｕ−ＡＧＷ毎にサービス優先度が最上位となるトンネル本数を算出し、該トンネル本数が最小となるＵ−ＡＧＷを選択することを特徴とする請求項１５に記載のアクセスゲートウェイ移動無線通信システム。
【請求項１８】
前記第２の管理テーブルに記憶された通信品質情報が帯域値を含み、
前記トンネル設定要求メッセージが示す移動局識別子に対応するテーブルエントリが前記第１の管理テーブルに未登録の場合、前記制御部が、前記第１の管理テーブルと第２の管理テーブルに基づいて、前記Ｕ−ＡＧＷ毎に設定済みのトンネルに保証した帯域の合計値を算出し、該帯域の合計値が最小となるＵ−ＡＧＷを選択することを特徴とする請求項１５に記載のアクセスゲートウェイ。
【発明の詳細な説明】
【技術分野】
【０００１】
本発明は、移動無線通信システムに関し、更に詳しくは、複数の無線基地局を収容したアクセス網とコア網との間にアクセスゲートウェイ（ＡＧＷ：Access Gateway）を備えた移動無線通信システムに関する。
【背景技術】
【０００２】
無線アクセスネットワークでは、ＩＥＴＦ（Internet Engineering Task Force）のモバイルＩＰ（Mobile Internet Protocol）を用いて、無線基地局（ＢＳ：Base Station）とアクセスゲートウェイ（ＡＧＷ）との間にトンネルを設定し、該トンネルを通してユーザデータが伝送されている。モバイルＩＰのトンネルは、ＢＳとＡＧＷとの間で、例えば、ＰＭＩＰ（Proxy Mobile IP）の登録要求（ＲＲＱ：Registration Request）メッセージや、登録要求応答（ＲＲＰ：Registration Replay）メッセージを交信することによって設定される。ＰＭＩＰのＲＲＱメッセージと、ＲＲＰメッセージのフォーマットは、例えば、ＩＥＴＦ  ＲＦＣ３３４４（非特許文献１）の３．１節、３．２節に開示されている。
【０００３】
一方、３ＧＰＰ２（3rd Generation Partnership Project 2）のＵＭＢ（Ultra Mobile Broadband）／ＣＡＮ（Converged Access Network）等の無線アクセスネットワークでは、制御メッセージを扱う制御プレーンと、ユーザデータを扱うユーザプレーンとの分離が進められている。例えば、３ＧＰＰ２  Ｘ．Ｓ００５４−１００−０  ｖ１．０（非特許文献２）の４．４節、４．６節には、ＵＭＢ／ＣＡＮにおいて、データ経路とシグナリング経路をＡＧＷで分離することが開示されている。
【０００４】
図３は、従来の無線アクセスネットワークの１例を示す。
コア網１には、モバイルＩＰのホームエージェント（ＨＡ：Home Agent）２と、ユーザ認証、アクセス認可および課金を行うＡＡＡ（Authentication Authorization and Accounting）サーバ３が接続されている。無線基地局（ＢＳ：Base Station）１０（１０Ａ、１０Ｂ、・・・１０Ｎ）は、アクセスゲートウェイＡＧＷ４を介して、コア網１に接続される。７は、セッション制御装置（ＳＲＮＣ：Session Reference Network Controller）、２０（２０Ａ、２０Ｂ、・・・）は移動局を示している。
【０００５】
ＡＧＷ４は、制御メッセージ（制御パケット）を処理する制御用ＡＧＷユニット５と、ユーザデータ（ユーザパケット）を処理するユーザデータ用ＡＧＷユニット６とからなっている。以下の説明では、制御用ＡＧＷユニット５をＣ−ＡＧＷ（Control plane AGW）、ユーザデータ用ＡＧＷユニット６をＵ−ＡＧＷ（User plane AGW）と言う。上記無線アクセスネットワークでは、制御パケットは、破線で示すように、Ｃ−ＡＧＷ５を経由して転送され、ユーザパケットは、実線で示すように、Ｕ−ＡＧＷ６を経由して転送される。
【０００６】
図４は、図３に示した無線アクセスネットワークにおいて、例えば、ＡＴ２０Ａをコア網１に接続する際に、ＢＳ１０ＡとＡＧＷ４と間に、ユーザデータ転送用のトンネルを設定する場合の通信シーケンスの１例を示す。
ＡＴ２０Ａから接続要求が発行されると、ＢＳ１０Ａ、ＳＲＮＣ７、Ｃ−ＡＧＷ５を経由して、ＡＡＡサーバ３とＡＴ２０Ａとの間でアクセス認証手順が実行される（ＳＱ１０ａ、ＳＱ１０ｂ、ＳＱ１０ｃ）。このとき、Ｃ−ＡＧＷ５からＢＳ１０Ａに、Ｃ−ＡＧＷ５のＩＰアドレスがＡＧＷ−ＩＤとして通知され（ＳＱ１１）、ＡＴ２０ＡからＣ−ＡＧＷ５に、認証対象となるＡＴ２０Ａの識別子（ＡＴＩＤ）が通知される（ＳＱ１２）。
【０００７】
ＡＴ２０Ａのアクセス認証が完了すると、ＡＴ２０ＡをＢＳ１０Ａに無線接続するためのコンフィグレーション（ＳＱ１４ａ、ＳＱ１４ｂ）を実行した後、ＢＳ１０ＡからＣ−ＡＧＷ５に、ＡＴ２０Ａの識別子（ＡＴＩＤ）を含むユーザデータ用トンネルの設定要求メッセージ、ここでは、ＰＭＩＰ  ＲＲＱメッセージが送信される（ＳＱ１５）。ＡＧＷ４が、同一のＡＴに対して複数トンネルの設定を許容できるシステム構成の場合、ＢＳ１０Ａは、上記ＰＭＩＰ  ＲＲＱメッセージに、最初のトンネル設定であることを示す制御情報（「Primary」）を付加する。
【０００８】
Ｃ−ＡＧＷ５は、ＰＭＩＰ  ＲＲＱメッセージを受信すると、応答メッセージ、本例では、ＰＭＩＰ  ＲＲＰメッセージをＢＳ１０Ａに送信する（ＳＱ１６）。ＰＭＩＰ  ＲＲＰメッセージは、トンネルの終端を示す情報（「Endpoint」）として、Ｕ−ＡＧＷ６のＩＰアドレスを含んでいる。ＢＳ１０Ａは、Ｃ−ＡＧＷ５からＰＭＩＰ  ＲＲＰメッセージを受信すると、「Endpoint」で指定されたＵ−ＡＧＷ６との間にトンネルを設定する（ＳＱ１８）。これによって、ＡＴ２０Ａは、コア網１に接続された通信相手との間で、ＢＳ１０ＡとＵ−ＡＧＷ６との間に設定されたトンネルを通して、ユーザデータを通信可能な状態となる（ＳＱ１９ａ、ＳＱ１９ｂ、ＳＱ１９ｃ）。
【０００９】
【非特許文献１】ＩＥＴＦ  ＲＦＣ３３４４
【非特許文献２】３ＧＰＰ２  Ｘ．Ｓ００５４−１００−０  ｖ１．０
【発明の開示】
【発明が解決しようとする課題】
【００１０】
図３に示した無線アクセスネットワークのように、ＡＧＷ４に含まれるＵ−ＡＧＷ６が１つの場合、Ｃ−ＡＧＷ５は、ＢＳから受信した全てのトンネル設定要求に対して、Endpointで同一のＵ−ＡＧＷを指定した応答メッセージを返送すればよかった。
しかしながら、ＡＧＷ４が、Ｃ−ＡＧＷと複数のＵ−ＡＧＷで構成された場合、Ｃ−ＡＧＷ５は、ＢＳからトンネル設定要求を受信した時、各Ｕ−ＡＧＷの負荷状態を考慮して、ＡＴに最適なＵ−ＡＧＷを割り当てる必要がある。非特許文献２には、複数のＵ−ＡＧＷを備えたＡＧＷ４におけるＡＴへのＵ−ＡＧＷ割り当て方法については、開示されていない。
【００１１】
また、ＵＭＢ（Ultra Mobile Broadband）のような広帯域の移動無線通信システムにおいては、高速度で高効率のデータ伝送を実現するために、ＡＴの移動に伴った木目細かいハンドオーバ制御が必要となってきている。ＵＭＢ通信システムでは、例えば、ＡＴ２０およびＢＳ１０において、ＡＴからＢＳに向かう上り方向の無線伝搬路状態と、ＢＳからＡＴに向かう下り方向の無線伝搬路状態を監視しておき、上り、下りの各方向で伝搬路の状態が最良となるＢＳにＡＴが接続されるように、ＢＳの切替え制御が行われる。この場合、伝搬路の状況によっては、同一ＡＴについて、短期間に頻繁にＢＳ間ハンドオーバが発生し、結果的に無駄な制御手順が実行される可能性がある。また、ＢＳとＡＧＷ間のトンネル設定には一定の時間を必要となるため、ＢＳ間のハンドオーバ条件が頻繁に発生した場合、ＢＳとＡＧＷが、これらのハンドオーバに追随するには限界がある。
【００１２】
本発明の目的は、基地局からトンネル設定要求が発生した時、複数のＵ−ＡＧＷの中から選択された最適なＵ−ＡＧＷを割当て可能な移動無線通信システムおよびアクセスゲートウェイ（ＡＧＷ）を提供することにある。
本発明の他の目的は、基地局からトンネル設定要求が発生した時、複数のＵ−ＡＧＷで負荷が分散されるように、トンネル設定要求元にＵ−ＡＧＷを割当て可能な移動無線通信システムおよびアクセスゲートウェイ（ＡＧＷ）を提供することにある。
【課題を解決するための手段】
【００１３】
上記目的を達成するため、本発明は、移動局と無線通信するための複数の基地局と、コア網に接続されるアクセスゲートウェイ（ＡＧＷ）とからなり、上記各基地局と上記ＡＧＷとの間にデータパケット転送用のトンネルが形成される移動無線通信システムにおいて、上記ＡＧＷが、アクセス網を介して上記複数の基地局と制御メッセージを交信する制御用のアクセスゲートウェイ部（Ｃ−ＡＧＷ）と、上記アクセス網を介して上記複数の基地局とデータパケットを交信するデータ転送用のアクセスゲートウェイ部（Ｕ−ＡＧＷ）とからなり、
上記Ｃ−ＡＧＷが、移動局の識別子と対応づけて、トンネルの１端となる基地局のアドレスと、該トンネルの他端となるＵ−ＡＧＷのアドレスとを記憶した複数のテーブルエントリからなる第１の管理テーブルと、上記何れかの基地局から、移動局識別子を含むトンネル設定要求メッセージを受信したとき、トンネルの終端となるべきＵ−ＡＧＷのアドレスを示す応答メッセージを上記基地局に返送する制御部とを有し、
上記制御部が、上記第１の管理テーブルから上記トンネル設定要求メッセージが示す移動局識別子と対応するテーブルエントリを検索し、目的のテーブルエントリが検索された場合は、該テーブルエントリが示すＵ−ＡＧＷのアドレスを上記応答メッセージで上記基地局に通知し、目的のテーブルエントリが上記第１の管理テーブルに未登録の場合は、上記複数のＵ−ＡＧＷのうちから選択された特定のＵ−ＡＧＷのアドレスを上記応答メッセージで上記基地局に通知することを特徴とする。
【００１４】
更に詳述すると、上記Ｃ−ＡＧＷの制御部は、上記第１の管理テーブルに目的のテーブルが未登録の場合、上記トンネル設定要求メッセージが示す移動局識別子と対応づけて、該トンネル設定要求メッセージの送信元基地局のアドレスと、上記特定のＵ−ＡＧＷのアドレスとを示す新たなテーブルエントリを上記第１の管理テーブルに登録する。
【００１５】
上記トンネル設定要求メッセージが、例えば、上記移動局識別子をもつ移動局のハンドオーバ先となる基地局から送信されたものであった場合、上記Ｃ−ＡＧＷの制御部は、上記第１の管理テーブルに登録されている目的のテーブルエントリの基地局アドレスを、上記トンネル設定要求メッセージの送信元基地局のアドレスに書き換える。
【００１６】
上記トンネル設定要求メッセージが、例えば、上記移動局識別子をもつ移動局が使用中の第１のトンネルと共存すべき第２のトンネルの設定要求であった場合、上記Ｃ−ＡＧＷの制御部は、上記第１の管理テーブルに、上記トンネル設定要求メッセージが示す移動局識別子と対応づけて、該トンネル設定要求メッセージの送信元基地局のアドレスと、前記特定のＵ−ＡＧＷのアドレスとを示す新たなテーブルエントリを登録する。
【００１７】
本発明の１つの特徴は、上記Ｃ−ＡＧＷが、Ｕ−ＡＧＷ毎に消費された通信リソース量を示すＵ−ＡＧＷ状態テーブルを備え、上記目的のテーブルエントリが上記第１の管理テーブルに未登録の場合、上記Ｃ−ＡＧＷの制御部が、上記Ｕ−ＡＧＷ状態テーブルから消費通信リソース量が最小のＵ−ＡＧＷを選択して、該Ｕ−ＡＧＷのアドレスを上記応答メッセージで基地局に通知するようにしたことにある。
【００１８】
本発明の１実施例では、上記Ｃ−ＡＧＷが、移動局の識別子と対応づけて、該移動局に保証すべき通信品質情報を記憶した複数のテーブルエントリからなる第２の管理テーブルを有し、上記目的のテーブルエントリが前記第１の管理テーブルに未登録の場合、上記Ｃ−ＡＧＷの制御部が、上記第２の管理テーブルから上記トンネル設定要求メッセージが示す移動局識別子と対応する通信品質情報を検索し、複数のＵ−ＡＧＷの中から上記通信品質情報に応じた特定のＵ−ＡＧＷを選択することを特徴とする。
【００１９】
本発明の他の実施例では、上記複数のＵ−ＡＧＷのうちの少なくとも１つが、特定の通信サービス用に専用化されており、上記第２の管理テーブルに記憶された通信品質情報が通信サービスクラス情報を含み、上記目的のテーブルエントリが第１の管理テーブルに未登録の場合、上記Ｃ−ＡＧＷの制御部が、上記第２の管理テーブルから上記トンネル設定要求メッセージが示す移動局識別子と対応するテーブルエントリを検索し、該テーブルエントリが上記特定の通信サービスと対応する通信サービスクラス情報を含んでいたとき、上記特定の通信サービス用に専用化されたＵ−ＡＧＷを選択することを特徴とする。
【００２０】
上記第２の管理テーブルが示す通信品質情報は、例えば、サービス優先度を含む。この場合、Ｃ−ＡＧＷの制御部は、目的のテーブルエントリが上記第１の管理テーブルに未登録の時、上記第１の管理テーブルと第２の管理テーブルに基づいて、Ｕ−ＡＧＷ毎にサービス優先度が最上位となるトンネル本数（接続ＡＴ数）を算出し、該トンネル本数が最小となるＵ−ＡＧＷを選択する。
【００２１】
上記第２の管理テーブルが示す通信品質情報は、移動局に保証された帯域値を含んでもよい。この場合、Ｃ−ＡＧＷの制御部は、目的のテーブルが上記第１の管理テーブルに未登録の時、上記第１の管理テーブルと第２の管理テーブルに基づいて、Ｕ−ＡＧＷ毎に設定済みのトンネルに保証した帯域の合計値を算出し、該帯域の合計値が最小となるＵ−ＡＧＷを選択する。
【発明の効果】
【００２２】
本発明によれば、移動局の位置変換に伴って、移動先基地局からトンネル設定要求が発生した時、Ｃ−ＡＧＷが、移動元基地局が形成していたトンネルの終端点と同一のＵ−ＡＧＷを移動先基地局に割当てるようにしているため、移動局と無線接続される基地局が切り替わった場合でも、上記移動局の送受信パケットを同一のＵ−ＡＧＷで継続的に転送することが可能となる。
【００２３】
更に、本発明によれば、基地局から移動局にとって最初のトンネルの設定要求を受信した時、Ｃ−ＡＧＷが、ＡＧＷ内の複数のＵ−ＡＧＷで負荷分散されるように、上記移動局に割り当てるべきＵ−ＡＧＷを選択しているため、負荷の不均一による特定Ｕ−ＡＧＷでのパケット転送遅延の発生を回避できる。また、Ｃ−ＡＧＷが、移動局が必要とする通信品質を参照し、移動局の通信に適したＵ−ＡＧＷを選択することによって、移動局に通信品質を保証したデータパケット転送が可能となる。
【発明を実施するための最良の形態】
【００２４】
以下、本発明の実施例について、図面を参照して説明する。
図１は、本発明が適用される移動無線通信システムの１例を示す。
図示した移動無線通信システムは、セッション制御装置（ＳＲＮＣ）７および複数の無線基地局１０（１０Ａ、１０Ｂ、・・・１０Ｎ）を収容したアクセス網８と、ホームエージェントＨＡ２とＡＡＡサーバ３を含むコア網１との間に、複数のＵ−ＡＧＷ６（６−１〜６−ｍ）を備えたＡＧＷ４が配置されている。これらのＵ−ＡＧＷ６（６−１〜６−ｍ）は、ＡＧＷ内バス４０によってＣ−ＡＧＷ５に接続されている。
【００２５】
図２は、図１に示したＢＳ１０、ＳＲＮＣ７、ＡＧＷ４、ＨＡ２、ＡＡＡサーバ３の論理的な接続関係を示している。本発明の移動無線通信システムでは、破線で示すように、制御メッセージ（制御パケット）は、Ｃ−ＡＧＷ５によって処理されるが、ユーザデータ（ユーザパケット）は、実線で示すように、複数のＵ−ＡＧＷ６−１〜６−ｍで分散処理される。
【００２６】
Ｃ−ＡＧＷ５は、後述するように、アクセス認証に成功した移動局（ＡＴ）の識別子と対応付けて、該ＡＴが必要とする通信品質を示す情報（ユーザＱｏＳプロフィール）と、該ＡＴ用のトンネルの両端となる基地局（ＢＳ）およびＵ−ＡＧＷのアドレスを記憶するための管理テーブルを備えている。Ｃ−ＡＧＷ５は、ＢＳ１０から、ＡＴ識別子を含むトンネル設定要求メッセージを受信したとき、上記管理テーブルから上記ＡＴ識別子をもつテーブルエントリを検索する。もし、上記ＡＴ識別子に該当するテーブルエントリが上記管理テーブルに未登録の場合、Ｃ−ＡＧＷ５は、上記管理テーブルから各Ｕ−ＡＧＷの負荷状態を判定し、Ｕ−ＡＧＷ６−１〜Ｕ−ＡＧＷ６−ｍで負荷が分散されるように、トンネルの終端となるべきＵ−ＡＧＷを選択して、該Ｕ−ＡＧＷのアドレスを要求元ＢＳに通知する。
【００２７】
図２において、ＡＴ２０Ａが送受信するユーザパケットは、ＢＳ１０ＡとＵ−ＡＧＷ６−１との間に設定されたトンネル９Ａを経由し、ＡＴ２０Ｂが送受信するユーザパケットは、ＢＳ１０ＢとＵ−ＡＧＷ６−２との間に設定されたトンネル９Ｂ、ＡＴ２０Ｃが送受信するユーザパケットは、ＢＳ１０ＮとＵ−ＡＧＷ６−ｍとの間に設定されたトンネル９Ｃを経由して転送される。
【００２８】
ここで、矢印で示すように、ＡＴ２０Ａが、ＢＳ１０Ａの通信圏内からＢＳ１０Ｂの通信圏内に移動した場合を想定する。上記管理テーブルには、トンネル９Ａの設定時にＡＴ２０Ａ用のテーブルエントリが既に登録済みとなっている。この場合、Ｃ−ＡＧＷ５は、ＢＳ１０ＢからＡＴ２０Ａ用のトンネル設定要求を受信したとき、上記管理テーブルから、ＡＴ２０Ａの識別子と対応付けて記憶してあるＵ−ＡＧＷ６−１のアドレスを検索し、ＢＳ１０Ｂに対して、トンネル終端アドレスとしてＵ−ＡＧＷ６−１のアドレスを通知する。これによって、ＢＳ１０ＢとＵ−ＡＧＷ６−１との間に、ＡＴ２０Ａ用の新たなトンネル９Ａ'が設定される。本発明によれば、既存のトンネル９Ａと新たなトンネル９Ａ'とが、同一のＵ−ＡＧＷで終端されているため、ＢＳが変わっても、ＡＴ２０Ａの送受信パケットをそれまでと同じＵ−ＡＧＷ６−１によって転送制御できる。
【００２９】
図５は、各基地局（ＢＳ）１０からＣ−ＡＧＷ５に送信されるトンネル設定要求メッセージの１例として、ＰＭＩＰ（Proxy Mobile IP）のＲＲＱ（Registration Request）メッセージ８０のフォーマットを示す。
ＲＲＱメッセージ８０は、メッセージ本体８１と、拡張（Extension）部８２とからなっている。メッセージ本体８１は、非特許文献１の３．３節に記載されたRegistration RequestメッセージからExtension部分を除いたものであり、このメッセージがＲＲＱメッセージであることを示すメッセージタイプ８１ａと、ＩＰアドレス等を含むその他の情報８１ｂとからなっている。拡張（Extension）部８２は、移動局識別子（ＡＴＩＤ）８３、トンネルの種類を示すバインディングタイプ（Binding Type）８４、その他の情報８５からなっている。
【００３０】
バインディングタイプ８４は、ＲＲＱメッセージ８０によって設定要求されたトンネルが、ＡＴＩＤ８３で特定された移動局にとって最初のトンネル（「Primary」）か、上り方向用として設定される２本目以降のトンネルか（「RL（Reverse Link） Only」）かの区別を表す。その他の情報８５には、例えば、ＡＴが要求するサービスクラス等の情報が含まれる。
【００３１】
図６は、Ｃ−ＡＧＷ５が、ＲＲＱメッセージ８０に対する応答メッセージとしてＢＳ１０に返送するＰＭＩＰのＲＲＰメッセージ９０のフォーマットを示す。
ＲＲＰメッセージは、メッセージ本体９１と、拡張（Extension）部９２とからなっている。メッセージ本体９１は、非特許文献１の３．４節に記載されたRegistration ReplayメッセージからExtension部分を除いたものであり、このメッセージがＲＲＰメッセージであることを示すメッセージタイプ９１ａと、ＩＰアドレス等を含むその他の情報９１ｂとからなっている。拡張（Extension）部９２は、移動局識別子（ＡＴＩＤ）９３、トンネル終端点（Tunnel Endpoint）９４、その他の情報９５からなっている。トンネル終端点（Tunnel Endpoint）９４には、Ｃ−ＡＧＷ５が選択したＵ−ＡＧＷ６−１〜Ｕ−ＡＧＷ６−ｍのうちの何れかのＵ−ＡＧＷのＩＰアドレスが設定される。
【００３２】
図７は、ＡＡＡサーバ３からＣ−ＡＧＷ５に送信されるユーザＱｏＳプロフィール（User QoS Profile）メッセージ７０のフォーマットを示す。
User QoS Profileメッセージは、制御情報部７１と、移動局識別子（ＡＴＩＤ）７２と、ＡＴＩＤ７２で特定されたＡＴに保証された通信サービス品質（ＱｏＳ）を示すユーザＱｏＳプロフィール７３とからなっている。
【００３３】
制御情報部７１には、このメッセージ７０がユーザＱｏＳプロフィールメッセージであることを示すメッセージタイプと、その他の情報が含まれる。ユーザＱｏＳプロフィール７３には、例えば、通信サービスの優先度７４、ＡＴで使用可能な最大帯域（ＢＷ）７５、その他の情報７６が含まれる。
【００３４】
図８は、Ｃ−ＡＧＷ５の１実施例を示すブロック構成図である。
Ｃ−ＡＧＷ５は、制御部（プロセッサ）５１と、制御部５１が実行するプロトコル処理ルーチン、その他の制御プログラムが格納されたプログラムメモリ５２と、データメモリ５３と、コア網１に接続されるネットワークインタフェース（ＮＷ−ＩＮＦ）５４−１およびアクセス網８に接続されるネットワークインタフェース（ＮＷ−ＩＮＦ）５４−２と、ＡＧＷ内バス４０に接続されるＡＧＷインタフェース（ＡＧＷ−ＩＮＦ）５５と、ユーザインタフェース５６と、これらの要素を相互接続する内部バス５７とからなっている。データメモリ５３には、ＱｏＳ情報テーブル５８、Ｕ−ＡＧＷアドレステーブル５９、その他のデータ記憶領域が形成されている。
【００３５】
図９は、Ｕ−ＡＧＷ６の１実施例を示すブロック構成図である。
Ｕ−ＡＧＷ６は、制御部（プロセッサ）６１と、制御部６１が実行する各種の制御プログラムが格納されたプログラムメモリ６２と、データメモリ６３と、コア網１に接続されるネットワークインタフェース（ＮＷ−ＩＮＦ）６４−１およびアクセス網８に接続されるネットワークインタフェース（ＮＷ−ＩＮＦ）６４−２と、ＡＧＷ内バス４０に接続されるＡＧＷインタフェース（ＡＧＷ−ＩＮＦ）６５と、これらの要素を相互接続する内部バス６７とからなっている。
【００３６】
アクセス網８に接続されるネットワークインタフェース（ＮＷ−ＩＮＦ）６４−２は、同一ＡＧＷ４内の他のＵ−ＡＧＷのＮＷ−ＩＮＦ６４−２と共に、ＡＧＷ４に付随して設けられたパケットスイッチを介して、アクセス網８に接続してもよい。
【００３７】
図１０の（Ａ）、（Ｂ）は、Ｃ−ＡＧＷ５のメモリ５３に形成されるＱｏＳ情報テーブル５８の１実施例を示す。
ＱｏＳ情報テーブル５８は、移動局識別子（ＡＴＩＤ）５８１とユーザＱｏＳプロフィール５８２との対応関係を示す複数のテーブルエントリからなっている。
【００３８】
ユーザＱｏＳプロフィール５８２は、例えば、図１０（Ａ）に示すように、ＡＴＩＤ５８１で特定された移動局に対する通信サービス、またはリソース割当ての優先度５８２Ａと、上記移動局で使用可能な最大帯域（ＢＷ）５８２Ｂを示す。
【００３９】
ユーザＱｏＳプロフィール５８２は、例えば、図１０（Ｂ）に示すように、リソース割当ての優先度５８２Ａ、最大帯域（ＢＷ）５８２Ｂの他に、例えば、通信サービスクラス（Allowed Service Class）など、更に他の情報５８２Ｃを含んでもよい。通信サービスクラスは、事前の契約によってＡＴユーザに保証された通信サービスクラス、例えば、データ通信、音声通信、動画通信などのサービスクラスの指定情報が記憶される。
【００４０】
図１１は、Ｃ−ＡＧＷ５のメモリ５３に形成されるＵ−ＡＧＷアドレステーブル５９の１実施例を示す。
Ｕ−ＡＧＷアドレステーブル５９は、移動局識別子（ＡＴＩＤ）５９１と対応付けて、Ｕ−ＡＧＷアドレス５９２と、基地局（ＢＳ）アドレス５９３と、バインディングタイプ５９４を示す複数のテーブルエントリからなっている。
【００４１】
Ｕ−ＡＧＷアドレス５９２とＢＳアドレス５９３は、それぞれユーザパケットの転送トンネルの終端となるＵ−ＡＧＷおよび基地局のＩＰアドレスを示している。また、バインディングタイプ５９４は、ＢＳアドレス５９３が示す基地局とＵ−ＡＧＷアドレス５９２が示すＵ−ＡＧＷとの間に設定されたトンネルが、ＡＴＩＤ５９１で特定された移動局用の最初のトンネルの場合は「Primary」、最初のトンネルと共存する２本目以降のトンネルの場合は「RL Only」が記憶される。尚、バインディングタイプは、例えば、基地局の上位装置として、移動局のセッション状態を管理する管理装置を設置しておき、各基地局が、上記管理装置から送られる制御情報に従って、「Primary」にすべきか「RL Only」にすべきかを判定するようにすればよい。
【００４２】
図１１において、例えば、テーブルエントリＥＮ１は、ＩＰアドレス「IP10A」をもつ基地局１０Ａと、ＩＰアドレス「IP6-1」をもつＵ−ＡＧＷ６−１との間に設定されたトンネル（図２のトンネル９Ａ）が、ＡＴ２０Ａにとって最初のトンネルであることを示している。また、テーブルエントリＥＮ２は、ＩＰアドレス「IP10B」をもつ基地局１０Ｂと、ＩＰアドレス「IP6-2」をもつＵ−ＡＧＷ６−２との間に設定されたトンネル（図２のトンネル９Ｂ）が、ＡＴ２０Ｂにとって最初のトンネルであることを示している。
【００４３】
図１２は、トンネル９Ａを通して通信中であったＡＴ２０Ａが、基地局１０Ａの通信圏内からＩＰアドレス「IP10B」をもつ基地局１０Ｂの通信圏内に移動し、基地局１０ＢとＵ−ＡＧＷ６−１との間に新たなトンネル（図２のトンネル９Ａ'）が設定された場合のＵ−ＡＧＷアドレステーブル５９の状態を示す。
【００４４】
図１２（Ａ）は、ＡＴ２０Ａ用のトンネルとして、複数のトンネルが共存する場合のＵ−ＡＧＷアドレステーブル５９の状態を示す。
ここで、テーブルエントリＥＮ１１は、ＩＰアドレス「IP10B」をもつ基地局１０Ｂと、ＩＰアドレス「IP6-1」をもつＵ−ＡＧＷ６−１との間に設定されたトンネルが、ＡＴ２０Ａにとって２番目以降のトンネル（「RL Only」）であることを示している。
【００４５】
図１２（Ｂ）は、ＡＴ２０Ａが、基地局１０Ａから基地局１０Ｂにハンドオーバされ、既存のトンネル９Ａに代わって、新たなトンネル９Ａ'が設定された場合のＵ−ＡＧＷアドレステーブル５９の状態を示す。
ＡＴ２０Ａが、基地局１０Ａから基地局１０Ｂにハンドオーバされた場合、テーブルエントリＥＮ１のＢＳアドレス５９３が、基地局１０ＡのＩＰアドレス「IP10A」から、基地局１０ＢのＩＰアドレス「IP10B」に書き換えられる。テーブルエントリＥＮ１のバインディングタイプ５９４は、「Primary」となる。
【００４６】
図１３は、本発明の移動無線通信システムにおいて、基地局１０とＵ−ＡＧＷ６との間にユーザデータ転送用のトンネルを設定する場合の通信シーケンスの第１実施例を示す。ここでは、図２に示した無線アクセスネットワークにおいて、図４と同様、ＡＴ２０Ａをコア網１に接続する場合の通信シーケンスについて説明する。但し、図４で説明した従来と同じシーケンス部分には、図４と同一の符号を適用することによって、説明を簡略化する。
【００４７】
移動局（ＡＴ）２０Ａのアクセス認証手順ＳＱ１０ａ〜ＳＱ１０ｃにおいて、ＡＡＡサーバ３は、ＡＴ２０Ａのアクセス認証（ユーザ認証を含む）に成功すると、Ｃ−ＡＧＷ５に対して、ＡＴ２０Ａのユーザに許容された通信サービス品質を示すユーザＱｏＳプロフィール（User QoS profile）を通知する（ＳＱ１３）。
【００４８】
Ｃ−ＡＧＷ５の制御部５１は、ＡＡＡサーバ３からユーザＱｏＳプロフィールを受信すると、図１４に示すユーザＱｏＳプロフィール受信処理ルーチン１００を実行する。
ユーザＱｏＳプロフィール受信処理ルーチン１００において、制御部５１は、図１３のステップＳＱ１２でＡＴ２０Ａから通知されたＡＴ識別子（ＡＴＩＤ）が、ＱｏＳ情報テーブル５８にＡＴＩＤ５６１として登録済みか否かをチェックする（ステップ１０１）。制御部５１は、ＡＴ２０ＡのＡＴＩＤがＱｏＳ情報テーブル５８に既に登録済みの場合は、このルーチンを終了し、ＡＴ２０ＡのＡＴＩＤが、ＱｏＳ情報テーブル５８に未登録の場合は、該ＡＴＩＤと、ＡＡＡサーバ３から通知されたユーザＱｏＳプロフィールとの対応関係を示す新たなテーブルエントリをＱｏＳ情報テーブル５８に追加して（１０２）、このルーチンを終了する。
【００４９】
ＢＳ１０Ａは、ＡＴユーザのアクセス認証が完了すると、ＡＴ２０Ａを無線接続するためのコンフィグレーションを実行（ＳＱ１４ａ、ＳＱ１４ｂ）した後、Ｃ−ＡＧＷ５に、ＡＴ２０Ａの識別子（ＡＴＩＤ）を含むユーザデータ転送用のトンネル設定要求（ＰＭＩＰ  ＲＲＱ）メッセージを送信する（ＳＱ１５）。
【００５０】
Ｃ−ＡＧＷ５の制御部５１は、上記トンネル設定要求（ＰＭＩＰ  ＲＲＱ）メッセージを受信すると、Ｕ−ＡＧＷ６−１〜６−ｍの中から、ＡＴ２０Ａに割り当てるべきＵ−ＡＧＷ（この例では、Ｕ−ＡＧＷ６−１）を選択し、トンネル終端（Endpoint）として該Ｕ−ＡＧＷのＩＰアドレスを含む応答メッセージ（ＰＭＩＰ  ＲＲＰ）をＢＡ１０Ａに返送する（ＳＱ１８）。このとき、Ｃ−ＡＧＷ５の制御部５１は、上記ＰＭＩＰ  ＲＲＱメッセージが示すＡＴＩＤと対応付けて、選択したＵ−ＡＧＷのＩＰアドレスと、ＰＭＩＰ  ＲＲＱメッセージの送信元となっているＢＳのＩＰアドレスと、上記ＰＭＩＰ  ＲＲＱメッセージが示すバインディングタイプを示す新たなテーブルエントリをメモリ５３のＵ−ＡＧＷアドレステーブルに記録する。
【００５１】
図１５は、トンネル設定要求（ＰＭＩＰ  ＲＲＱ）メッセージを受信したとき、制御部５１が実行するＲＲＱ受信処理ルーチン２００を示す。
ＲＲＱ受信処理ルーチン２００において、制御部５１は、受信したＰＭＩＰ  ＲＲＱメッセージが示すＡＴＩＤが、Ｕ−ＡＧＷアドレステーブル５９にＡＴＩＤ５９１として登録済みか否かをチェックする（ステップ２０１）。
【００５２】
今回の例では、Ｕ−ＡＧＷアドレステーブル５９には、ＰＭＩＰ  ＲＲＱメッセージが示すＡＴＩＤは、未だ登録されていない。この場合、制御部５１は、ＡＴ２０Ａに新Ｕ−ＡＧＷ（この例では、Ｕ−ＡＧＷ６−１）を割当て（２１０）、Ｕ−ＡＧＷアドレステーブル５９に、上記ＡＴＩＤと、Ｕ−ＡＧＷのＩＰアドレスと、ＰＭＩＰ  ＲＲＱメッセージの送信元ＢＳ（ＢＳ１０Ａ）のＩＰアドレスと、ＰＭＩＰ  ＲＲＱメッセージが示すバインディングタイプとの対応関係を示す新たなテーブルエントリを追加し（２０４）、ＰＭＩＰ  ＲＲＱメッセージの送信元ＢＳ（ＢＳ１０Ａ）に、Endpointとして上記Ｕ−ＡＧＷ６−１のＩＰアドレス（「IP6-1」）を含む応答メッセージ（ＰＭＩＰ  ＲＲＰ）を返送して（２０５、図１３のＳＱ１６）、このルーチンを終了する。
【００５３】
もし、ＰＭＩＰ  ＲＲＱメッセージが示すＡＴＩＤが、Ｕ−ＡＧＷアドレステーブル５９にＡＴＩＤ５９１として既に登録されていた場合、制御部５１は、Ｕ−ＡＧＷアドレステーブル５９に登録済みのテーブルエントリのＵ−ＡＧＷアドレス５９２が示すＵ−ＡＧＷをＡＴ２０Ａに割当て（２０２）、ＰＭＩＰ  ＲＲＱメッセージが示すバインディングタイプを判定する（２０３）。
【００５４】
バインディングタイプが「RL Only」となっていた場合、すなわち、図１に示した移動無線通信システムが、図１２（Ａ）で説明したように、同一ＡＴ用として複数のトンネルを設定可能なシステム構成となっていた場合、制御部５１は、ステップ２０４で、Ｕ−ＡＧＷアドレステーブル５９に、上記ＡＴＩＤと、Ｕ−ＡＧＷのＩＰアドレスと、ＰＭＩＰ  ＲＲＱメッセージの送信元ＢＳ（ＢＳ１０Ａ）のＩＰアドレスと、ＰＭＩＰ  ＲＲＱメッセージが示すバインディングタイプとの対応関係を示す新たなテーブルエントリを追加した後、ＰＭＩＰ  ＲＲＱメッセージの送信元ＢＳ（ＢＳ１０Ａ）に、応答メッセージ（ＰＭＩＰ  ＲＲＰ）を返送して（２０５）、このルーチンを終了する。
【００５５】
バインディングタイプが「Primary」となっていた場合、すなわち、移動無線通信システムが、図１２（Ｂ）で説明したように、ＡＴを基地局間でハンドオーバするシステム構成となっていた場合、制御部５１は、Ｕ−ＡＧＷアドレステーブル５９に登録済みのテーブルエントリのＢＳアドレス５９３の書き換える（２０６）。この後、制御部５１は、ＰＭＩＰ  ＲＲＱメッセージの送信元ＢＳ（ＢＳ１０Ａ）に、ステップ２０２で割当てたＵ−ＡＧＷのＩＰアドレスをEndpointとして含む応答メッセージ（ＰＭＩＰ  ＲＲＰ）を返送し（２０７）、ハンドオーバ前に使用されていた既存のトンネルを解放して（２０８）、このルーチンを終了する。
【００５６】
図１６は、ＲＲＰ受信処理ルーチン２００における新Ｕ−ＡＧＷの割当て（２１０）の詳細フローチャートを示す。
新Ｕ−ＡＧＷの割当て（２１０）において、制御部５１は、ＡＧＷ４に含まれるＵ−ＡＧＷ毎に、既に消費した通信リソースの推定値を計算し（２１１）、消費リソースが最小のＵ−ＡＧＷを選択して（２１２）、これをＡＴに割り当てる。Ｕ−ＡＧＷ毎の消費リソースは、例えば、図１７に示すように、Ｕ−ＡＧＷのＩＰアドレス３０１毎に消費リソース量３０２を示すＵ−ＡＧＷ状態テーブル３００をメモリ５３に用意しておき、Ｕ−ＡＧＷアドレステーブル５９とＱｏＳ情報テーブル５８から求めた各Ｕ−ＡＧＷの通信リソース量を消費リソース量３０２として累計することによって、推定できる。
【００５７】
例えば、消費リソース量３０２として、各Ｕ−ＡＧＷがＡＴに保証した最大ＢＷの合計値を採用した場合、制御部５１は、Ｕ−ＡＧＷアドレステーブル５９からＡＴＩＤ５９１とＵ−ＡＧＷアドレス５９２の値を読み出し、ＱｏＳ情報テーブル５８からＡＴＩＤ５９１と対応する最大ＢＷの値を検索し、検索された最大ＢＷ５２８Ｂの値をＵ−ＡＧＷアドレス５９２と対応する消費リソース量３０２として、Ｕ−ＡＧＷ状態テーブル３００に累計すればよい。但し、図１１に示したエントリＥＮ１、ＥＮ１１のように、Ｕ−ＡＧＷアドレステーブル５９に、ＡＴＩＤ５９１が同一の複数のテーブルエントリが登録されている場合、最大ＢＷ５８２Ｂの累計は、最初に検索されたテーブルエントリで行い、同一ＡＴＩＤをもつ残りのテーブルエントリは、最大ＢＷの累計対象から除外する。
【００５８】
図１８は、新Ｕ−ＡＧＷの割当て（２１０）の１実施例として、各Ｕ−ＡＧＷがＡＴに保証した最大ＢＷの合計値を消費リソースとした場合のフローチャートを示す。
この実施例では、制御部５１は、上述したＵ−ＡＧＷ状態テーブル３００を使用して、Ｕ−ＡＧＷ（ＩＰアドレス）毎に、既にＡＴに保証済みの最大ＢＷ５８２Ｂの合計値を計算し（２１１Ａ）、最大ＢＷの合計値（消費リソース量３０２）が最小となっているＵ−ＡＧＷを選択して（２１２Ａ）、ＡＴに割り当てる。本実施例によれば、複数Ｕ−ＡＧＷ６−１〜６−ｍの負荷を平均化できるため、特定のＵ−ＡＧＷでデータパケットの転送遅延が発生するのを防止できる。
【００５９】
図１９は、新Ｕ−ＡＧＷの割当て（２１０）の他の実施例として、各Ｕ−ＡＧＷに接続された最高の通信サービス優先度をもつトンネル数（ＡＴ数）を消費リソースとして採用した場合のフローチャートを示す。
この実施例では、制御部５１は、上述したＵ−ＡＧＷ状態テーブル３００を使用して、Ｕ−ＡＧＷ（ＩＰアドレス）毎に、優先度５８２Ａが最大優先度となっているＡＴの数をカウントし（２１１Ｂ）、最大優先度をもつＡＴ数（消費リソース量３０２）が最小のＵ−ＡＧＷを選択して（２１２Ｂ）、ＡＴに割り当てる。本実施例によれば、高い優先度を保証された多数のＡＴ（ユーザ）が、特定のＵ−ＡＧＷに集中しないように、Ｕ−ＡＧＷを割り当てることができる。
【００６０】
上述した最大帯域やサービス優先度のようなＱｏＳ情報を用いてＵ−ＡＧＷを選択することによって、高優先度データパケット用のトンネルが特定のＵ−ＡＧＷに集中したり、通信速度或いは使用帯域の大きいＡＴ用のトンネルが、特定のＵ−ＡＧＷに集中するのを回避することができる。
【００６１】
図２０は、新Ｕ−ＡＧＷの割当て（２１０）の更に他の実施例を示す。
この実施例では、図１０（Ｂ）に示したように、ＱｏＳ情報テーブル５８に、ＡＴＩＤ５８１と対応付けて記憶されたサービスクラス５８２Ｃを利用して、Ｕ−ＡＧＷを選択する。ここでは、説明を簡単化するため、サービスクラス５８２Ｃには、「ｄａｔａ」と「ｖｏｉｐ」の２つのクラスがあり、ＡＧＷ４の構成として、Ｕ−ＡＧＷ６−１が、ｖｏｉｐ用のパケット転送に最適化され、その他のＵ−ＡＧＷ６−２〜６−ｍが、ｄａｔａ用のパケット転送に最適化されているものと仮定する。
【００６２】
Ｃ−ＡＧＷ５の制御部５１は、ＢＳ１０Ａから受信したＲＲＱメッセージに含まれるＡＴＩＤを検索キーとして、ＱｏＳ情報テーブル５８からサービスクラス５８２Ｃを検索し、サービスクラスが「ｖｏｉｐ」か否かをチェックする（２１３）。許容サービスクラス５８２Ｃが「ｖｏｉｐ」の場合、制御部５１は、Ｕ−ＡＧＷ６−１を選択して、これをＡＴ２０Ａに割当てる。検索されたサービスクラス５９２Ｃが「ｖｏｉｐ」以外の場合、制御部５１は、Ｕ−ＡＧＷ６−２〜６−ｍの中から、図１６で説明した手順で、消費リソースの推定値が最小のＵ−ＡＧＷを選択し（２１１、２１２）、これをＡＴ２０Ａに割り当てる。尚、図２０のステップ２１１、２１２には、図１８、図１９で説明した手順を適用してもよい。
【００６３】
ＡＧＷ４の構成として、複数のＵ−ＡＧＷがｖｏｉｐ用のデータパケット転送に最適化されている場合、制御部５１は、図２０のステップ２１４で、図１６に示した手順に従って、ｖｏｉｐ用の複数のＵ−ＡＧＷの中から、消費リソースの推定値が最小のＵ−ＡＧＷを選択すればよい。
【００６４】
ここで、ｖｏｉｐ用のＵ−ＡＧＷと、ｄａｔａ用のＵ−ＡＧＷは、ハードウェアまたはソフトウェアの最適化によって実現される。ハードウェアの最適化としては、例えば、データメモリ６３の容量増加、制御部（プロセッサ）６１の高速化、ＮＷ  ＩＮＦ６４の高速化などが挙げられる。また、ソフトウェアの最適化としては、例えば、プログラムメモリ６２に格納されるソフトウェアの特殊化、サービス種類に応じた機能追加などが挙げられる。
【００６５】
ここでは、サービスクラスが「ｄａｔａ」と「ｖｏｉｐ」の場合について説明したが、サービスクラスは３以上であっても良い。また、ｄａｔａとｖｏｉｐのクラス分けは、単なる１例であって、通信サービスは、これは異なった観点でクラス分けされても良い。
【００６６】
実施例では、ＱｏＳ情報テーブル５８にユーザＱｏＳプロフィール５８２の一部として記憶されたサービスクラス５８２Ｃに基づいて、各ＡＴに割り当てるべきＵ−ＡＧＷを選択したが、制御部５１は、新Ｕ−ＡＧＷ割り当て処理２１０のステップ２１３において、サービスクラス以外の情報を参照して、Ｕ−ＡＧＷを選択するようにしても良い。例えば、Ｕ−ＡＧＷ６−１〜６−ｍの中に、広帯域データパケットの転送用として専用化された高速Ｕ−ＡＧＷ６−ｊを用意しておき、制御部５１が、最大ＢＷが一定値以上のＡＴには、上記Ｕ−ＡＧＷ６−ｊを割当てるようにしても良い。ＡＧＷ４に、広帯域データパケットの転送用の複数のＵ−ＡＧＷを設けておき、これらの専用Ｕ−ＡＧＷ間で負荷が分散するように、Ｕ−ＡＧＷを割り当てるようにしてもよい。
【００６７】
Ｕ−ＡＧＷの選択には、ＡＴ２０とＢＳ１０との間（無線区間）のリンク層のＱｏＳ情報を利用しても良い。無線リンク層のＱｏＳと、上位層であるＩＰ層のＱｏＳとの間には相関があり、無線リンク層で高いＱｏＳを必要とするユーザは、ＩＰ層でも高いＱｏＳが必要になる。従って、通信リソースの消費量の指標として、無線リンク層のＱｏＳ情報を採用して、Ｕ−ＡＧＷ間で負荷が分散されるように、各ＡＴに割り当てるべきＵ−ＡＧＷを選択するようにしてもよい。
【００６８】
図１３に戻って、ＢＳ１０Ａは、Ｃ−ＡＧＷ５からＰＭＩＰ  ＲＲＰメッセージを受信すると、受信メッセージのEndpointが示すＣ−ＡＧＷ６−１のＩＰアドレス（「IP6-1」）に従って、Ｕ−ＡＧＷ６−１との間にトンネルを設定する（ＳＱ１８）。これによって、ＡＴ２０Ａは、ＢＳ１０ＡとＵ−ＡＧＷ７を経由して、通信相手とユーザデータを通信できる状態となる（ＳＱ１９ａ、ＳＱ１９ｂ、ＳＱ１９ｃ）。上述したように、本実施例によれば、複数のＵ−ＡＧＷ間で負荷を分散させたトンネル設定が可能となる。
【００６９】
次に、図２１を参照して、ＡＴ２０Ａが、図２に示したＢＳ１０Ａの通信圏内からＢＳ１０Ｂの通信圏内に移動した場合に実行されるハンドオーバの通信シーケンスについて説明する。但し、図２１において、シーケンスＳＱ１０ａ〜ＳＱ１９ｃは、図１３と同一のため、説明は省略する。
【００７０】
ＢＳ１０ＡとＵ−ＡＧＷ６−１との間に設定されたトンネルを介して通信中であったＡＴ２０Ａが、ＢＳ１０Ｂの通信圏内（サービスエリア）に移動したとする。ＡＴ２０Ａは、ＢＳ１０Ａ、ＢＳ１０Ｂからの受信信号（パイロット信号）の品質を定期的に測定するか、これらの基地局と交信する制御情報によって、各基地局の無線伝送路の状態を監視している。ＡＴ２０Ａは、新たなＢＳ１０Ｂとの間の無線伝搬路の状態が、ＢＳ１０Ａとの間の無線伝搬路の状態よりも良好になった時点で、ＢＳ１０ＡからＢＳ１０Ｂへのハンドオーバを開始する。ＡＴ２０Ａのハンドオーバは、基地局（ＢＳ１０Ａ、ＢＳ１０Ｂ）主導で実行されてもよい。
【００７１】
ＢＳ１０Ｂは、ＡＴ２０Ａからハンドオーバ要求を受信すると、ＳＲＮＣ７、Ｃ−ＡＧＷ５を経由して、ＡＡＡサーバ３との間で、ＡＴ２０Ａのアクセス認証手順を実行する（ＳＱ２０ａ、ＳＱ２０ｂ、ＳＱ２０ｃ）。このとき、図１３で詳述した最初のアクセス認証手順（ＳＱ１０ａ、ＳＱ１０ｂ、ＳＱ１０ｃ）と同様、Ｃ−ＡＧＷ５からＢＳ１０Ｂに、ＢＳ１０Ｂが収容されるＣ−ＡＧＷ５のＩＰアドレスが通知され、ＡＴ２０ＡからＣ−ＡＧＷ５に、ＡＴの識別子（ＡＴＩＤ）が通知され、ＡＡＡサーバ３からＣ−ＡＧＷ５に、上記ＡＴＩＤと対応したユーザＱｏＳプロフィールが通知される。
【００７２】
Ｃ−ＡＧＷ５の制御部５１は、ＡＡＡサーバ３からユーザＱｏＳプロフィールを受信すると、図１４に示したユーザＱｏＳプロフィール受信処理ルーチン１００を実行する。今回は、ＱｏＳ情報テーブル５８において、ＡＴ２０ＡのＡＴＩＤと対応するテーブルエントリが既に登録済みとなっているため、ＱｏＳ情報テーブル５８の更新はない。
ＢＳ１０Ｂは、アクセス認証手順（ＳＱ２０ａ、ＳＱ２０ｂ、ＳＱ２０ｃ）が完了すると、ＡＴ２０Ａを無線接続するためのコンフィグレーション（ＳＱ２４ａ、ＳＱ２４ｂ）を実行した後、Ｃ−ＡＧＷ５にトンネル設定要求（ＰＭＩＰ  ＲＲＱ）メッセージを送信する（ＳＱ２５）。ＢＳ１０ＢからＣ−ＡＧＷ５に送信されるＰＭＩＰ  ＲＲＱメッセージには、ＡＴ２０Ａの識別子（ＡＴＩＤ）と、バインディングタイプ「Primary」が付加されている。
【００７３】
Ｃ−ＡＧＷ５の制御部５１は、ＢＳ１０ＢからＰＭＩＰ  ＲＲＱメッセージを受信すると、図１５に示したＲＲＱ受信処理ルーチン２００を実行して、ＡＴ２０Ａに割り当てるべきＵ−ＡＧＷを選択する。今回は、ＡＴ２０Ａの識別子（ＡＴＩＤ）と対応するテーブルエントリＥＮ１が、既にＵ−ＡＧＷアドレステーブル５９に登録済みとなっているため、制御部５１は、上記テーブルエントリＥＮ１のＵ−ＡＧＷアドレス５９２が示すＵ−ＡＧＷ６−１を選択し、EndpointでＵ−ＡＧＷ６−１のＩＰアドレス「IP6-1」を指定した応答メッセージ（ＰＭＩＰ  ＲＲＰ）をＢＳ１−Ｂに返送する（ＳＱ２６）。この時、制御部５１は、ＲＲＱ受信処理ルーチン２００のステップ２０６で、図１２（Ｂ）に示すように、Ｕ−ＡＧＷアドレステーブル５９のテーブルエントリＥＮ１を更新する。
【００７４】
制御部５１は、ＰＭＩＰ  ＲＲＰメッセージを送信した後、例えば、ＢＳ１０Ａにトンネル解放メッセージを送信することによって、ＢＳ１０ＡとＵ−ＡＧＷ６−１との間に設定されていたトンネル９Ａを解放する（ＳＱ２７）。トンネルの解放は、制御部５１からＵ−ＡＧＷ６−１に、ＡＧＷ内バスを介してトンネル解放を指令し、Ｕ−ＡＧＷ６−１からＢＳ１０Ａにトンネル解放メッセージを送信するようにしてもよい。尚、既存のトンネルは、例えば、タイマー制御によって、ＰＭＩＰ  ＲＲＰメッセージが送信されてから所定時間が経過した時点で開放される。
【００７５】
ＢＳ１０Ｂは、Ｃ−ＡＧＷ５から応答メッセージ（ＰＭＩＰ  ＲＲＰ）を受信すると、Endpointで指定されたＵ−ＡＧＷ６−１との間にトンネルを設定する（ＳＱ２８）。これによって、ＡＴ２０Ａは、ＢＳ１０ＢとＵ−ＡＧＷ６−１を経由して、ユーザデータを通信できる状態となる（ＳＱ２９ａ、ＳＱ２９ｂ、ＳＱ２９ｃ）。
【００７６】
本発明によれば、Ｃ−ＡＧＷ５が、ＡＴ２０Ａのハンドオーバ後のトンネル終端として、ハンドオーバ前と同一のＵ−ＡＧＷ６−１を割り当てることができるため、ＡＧＷ４とコア網との間で経路変更を必要としない基地局間ハンドオーバを実現できる。
【００７７】
次に、図２２を参照して、ＡＴ２０Ａ用に複数のトンネルを並列的に設定する場合の通信シーケンスについて説明する。但し、図２１と共通するシーケンスについては、説明を省略または簡略化する。
【００７８】
ＢＳ１０ＡとＵ−ＡＧＷ６−１との間に設定されたトンネルを介して通信中であったＡＴ２０Ａが、ＢＳ１０Ｂの通信圏内（サービスエリア）に移動したとする。本実施例では、ＡＴ２０ＡがＢＳ１０Ｂの通信圏内に移動すると、ＢＳ１０Ａを経由した既存のトンネル９Ａと共存させて、ＢＳ１０Ｂを経由した新たなトンネル９Ａ’が設定される。
【００７９】
ＢＳ１０Ｂは、ＡＴ２０Ａを検知すると、ＳＲＮＣ７、Ｃ−ＡＧＷ５を経由して、ＡＡＡサーバ２との間で、ＡＴ２０Ａのアクセス認証手順を実行する（ＳＱ２０ａ、ＳＱ２０ｂ、ＳＱ２０ｃ）。このとき、Ｃ−ＡＧＷ５からＢＳ１０Ｂに、ＢＳ１０Ｂが収容されるＣ−ＡＧＷ５のＩＰアドレスが通知され、ＡＴ２０ＡからＣ−ＡＧＷ５に、ＡＴの識別子（ＡＴＩＤ）が通知され、ＡＡＡサーバ３からＣ−ＡＧＷ５に、上記ＡＴＩＤと対応したユーザＱｏＳプロフィールが通知される。
【００８０】
Ｃ−ＡＧＷ５の制御部５１は、ＡＡＡサーバ３からユーザＱｏＳプロフィールを受信すると、図１４に示したユーザＱｏＳプロフィール受信処理ルーチン１００を実行する。今回は、ＱｏＳ情報テーブル５８において、ＡＴ２０ＡのＡＴＩＤと対応するテーブルエントリが既に登録済みとなっているため、ＱｏＳ情報テーブル５８の更新はない。
【００８１】
ＢＳ１０Ｂは、アクセス認証手順（ＳＱ２０ａ、ＳＱ２０ｂ、ＳＱ２０ｃ）が完了すると、ＡＴ２０Ａを無線接続するためのコンフィグレーション（ＳＱ２４ａ、ＳＱ２４ｂ）を実行した後、Ｃ−ＡＧＷ５にトンネル設定要求（ＰＭＩＰ  ＲＲＱ）メッセージを送信する（ＳＱ２５’）。
ここでは、上り（Reverse Link）／下り（Forward Link）双方向の最初のトンネル（「primary」）９Ａが設定された後は、ＡＴ２０Ａ用の新たなトンネル９Ａ’として、上り方向（Reverse Link）のみのトンネル（「RL only」）が設定できるものとする。このようなトンネル設定機能は、前述したＵＭＢ（Ultra Mobile Broadband）の無線システムに備わっている。
【００８２】
ＢＳ１０ＢからＣ−ＡＧＷ５に送信されるＰＭＩＰ  ＲＲＱメッセージには、ＡＴ２０Ａの識別子（ＡＴＩＤ）と、設定要求されたトンネルがＡＴ２０Ａにとって２本目以降のトンネルであることを示すバインディングタイプ「RL only」が付加されている。
Ｃ−ＡＧＷ５の制御部５１は、ＢＳ１０ＢからＰＭＩＰ  ＲＲＱメッセージを受信すると、図１５に示したＲＲＱ受信処理ルーチン２００を実行して、ＡＴ２０Ａに割り当てるべきＵ−ＡＧＷを選択する。今回は、ＡＴ２０Ａの識別子（ＡＴＩＤ）と対応するテーブルエントリＥＮ１が、既にＵ−ＡＧＷアドレステーブル５９に登録済みとなっている。従って、制御部５１は、ＲＲＱ受信処理ルーチン２００のステップ２０２で、上記テーブルエントリＥＮ１のＵ−ＡＧＷアドレス５９２が示すＵ−ＡＧＷ６−１を選択し、ステップ２０４で、Ｕ−ＡＧＷアドレステーブル５９に、図１２（Ａ）に示すように、新たなテーブルエントリＥＮ１１が追加した後、EndpointでＵ−ＡＧＷ６−１のＩＰアドレス「IP6-1」を指定した応答メッセージ（ＰＭＩＰ  ＲＲＰ）をＢＳ１−Ｂに返送する（ＳＱ２６）。
【００８３】
ＢＳ１０Ｂは、Ｃ−ＡＧＷ５から応答メッセージ（ＰＭＩＰ  ＲＲＰ）を受信すると、Endpointで指定されたＵ−ＡＧＷ６−１との間にトンネルを設定する（ＳＱ２８）。これによって、ＡＴ２０Ａは、ＢＳ１０ＢとＵ−ＡＧＷ６−１を経由して、ユーザデータを通信できる状態となる（ＳＱ２９ａ、ＳＱ２９ｂ、ＳＱ２９ｃ）。
【００８４】
ＢＳとＵ−ＡＧＷ６との間のトンネル設定には、一定の時間を要する。従って、例えば、ＡＴ２０ＡがＢＳ１０Ｂの通信圏内に移動した時、ＡＴ２０ＡをＢＳ１０ＡからＢＳ１０Ｂに直ちにハンドオーバすると、ＡＴ２０ＡがＢＳ１０Ａの通信圏内に戻った時、逆にＢＳ１０ＢからＢＳ１０Ａへのハンドオーバが発生することになり、ＢＳ間のハンドオーバの頻発によってＣ−ＡＧＷ５の負荷が増大する。
【００８５】
本実施例によれば、ハンドオーバ発生の可能性が高い２つのＢＳ（図２２ではＢＳ１０Ａ、ＢＳ１０Ｂ）とＡＧＷ４との間に、並列的にトンネルが設定されるため、ＡＴ２０ＡがＢＳ１０ＡとＢＳ１０Ｂとの境界付近でうろついた場合でも、ＢＳ間のハンドオーバの発生によるＣ−ＡＧＷ５の負荷の増加を防止できる。
【００８６】
本発明では、ＢＳ１０Ａを経由するＡＴ２０Ａ用の最初のトンネル９Ａを設定した後で、ＢＳ１０Ｂを経由するＡＴ２０Ａ用の第２のトンネル９Ａ’を設定するとき、Ｃ−ＡＧＷ５の制御部５１が、第２のトンネルの終端が、最初のトンネルの終端と同一になるように、Ｕ−ＡＧＷの選択しているため、ＡＴ２０Ａが移動しても、ＡＧＷ４内では、同一のＵ−ＡＧＷでＡＴ２０Ａのデータパケットを転送処理できる。従って、本発明によれば、例えば、ＡＴ２０Ａから送信された上りパケットを中継するＢＳが切り替わった時、同一のＵ−ＡＧＷ（本例では、Ｕ−ＡＧＷ６−１）で上りパケットを継続的に処理できる。
【００８７】
同一ＡＴが使用する第１、第２のトンネルが、異なったＵ−ＡＧＷで終端された場合、ＡＴが移動した時、ＢＳに連動してＵ−ＡＧＷも切り替わるため、特にコア網１からＡＴに向かう下りパケットの転送において、例えば、ＡＧＷ４内でのＵ−ＡＧＷ間のデータ転送やシグナル転送のような複雑な制御が必要となるが、本発明では、このような特殊な制御を無くすことができる。
【図面の簡単な説明】
【００８８】
【図１】本発明が適用される移動無線通信システムの１例を示す図。
【図２】図１に示した移動無線通信システムにおけるＢＳ１０、ＳＲＮＣ７、ＡＧＷ４、ＨＡ２、ＡＡＡサーバ３の論理的な接続関係を示した図。
【図３】従来の無線アクセスネットワークの１例を示す図。
【図４】図３に示した無線アクセスネットワークにおけるユーザデータ転送用トンネルの設定シーケンスを説明するための図。
【図５】ＢＳ１０からＣ−ＡＧＷ５に送信されるトンネル設定要求メッセージの１例を示すフォーマット図。
【図６】Ｃ−ＡＧＷ５からＢＳ１０に返送される応答メッセージの１例を示すフォーマット図。
【図７】ＡＡＡサーバ３からＣ−ＡＧＷ５に送信されるユーザＱｏＳプロフィール（User QoS Profile）メッセージのフォーマット図。
【図８】Ｃ−ＡＧＷ５の１実施例を示すブロック構成図。
【図９】Ｕ−ＡＧＷ６の１実施例を示すブロック構成図。
【図１０】Ｃ−ＡＧＷ５のメモリ５３に形成されるＱｏＳ情報テーブル５８の１実施例を示す図。
【図１１】Ｃ−ＡＧＷ５のメモリ５３に形成されるＵ−ＡＧＷアドレステーブル５９の１実施例を示す図。
【図１２】Ｕ−ＡＧＷアドレステーブル５９の内容変化を示す図。
【図１３】本発明のＣ−ＡＧＷ５の機能を説明するための通信シーケンス図。
【図１４】Ｃ−ＡＧＷ５の制御部５１が実行するユーザＱｏＳプロフィール受信処理ルーチン１００の１実施例を示すフローチャート。
【図１５】Ｃ−ＡＧＷ５の制御部５１が実行するＲＲＱ受信処理ルーチン２００の１実施例を示すフローチャート。
【図１６】ＲＲＰ受信処理ルーチン２００における新Ｕ−ＡＧＷの割当て（２１０）の詳細フローチャート。
【図１７】Ｃ−ＡＧＷ５のメモリ５３に形成されるＵ−ＡＧＷ状態テーブル３００の１実施例を示す図。
【図１８】新Ｕ−ＡＧＷの割当て（２１０）の１実施例を示すフローチャート。
【図１９】新Ｕ−ＡＧＷの割当て（２１０）の他の実施例を示すフローチャート。
【図２０】新Ｕ−ＡＧＷの割当て（２１０）の更に他の実施例を示すフローチャート。
【図２１】本発明のＣ−ＡＧＷ５の機能を説明するための通信シーケンス図。
【図２２】本発明のＣ−ＡＧＷ５の機能を説明するための通信シーケンス図。
【符号の説明】
【００８９】
１：コア網、２：ホームエージェント（ＨＡ）、３：ＡＡＡサーバ、４：ＡＧＷ、５：Ｃ−ＡＧＷ、６：Ｕ−ＡＧＷ、７：ＳＲＮＣ、８：アクセス網、１０：基地局（ＢＳ）、２０：移動局（ＡＴ）、５１、６１：制御部、５２、６２：プログラムメモリ、５３、６３：データメモリ、５４、６４：ネットワークインタフェース、５５、６５：ＡＧＷインタフェース、５６：ユーザインタフェース、５８：ＱｏＳ情報テーブル、５８：Ｕ−ＡＧＷアドレステーブル、３００：Ｕ−ＡＧＷ状態テーブル。
【図１】
0005203780.tif 000002
【図２】
0005203780.tif 000003
【図３】
0005203780.tif 000004
【図４】
0005203780.tif 000005
【図５】
0005203780.tif 000006
【図６】
0005203780.tif 000007
【図７】
0005203780.tif 000008
【図８】
0005203780.tif 000009
【図９】
0005203780.tif 000010
【図１０】
0005203780.tif 000011
【図１１】
0005203780.tif 000012
【図１２】
0005203780.tif 000013
【図１３】
0005203780.tif 000014
【図１４】
0005203780.tif 000015
【図１５】
0005203780.tif 000016
【図１６】
0005203780.tif 000017
【図１７】
0005203780.tif 000018
【図１８】
0005203780.tif 000019
【図１９】
0005203780.tif 000020
【図２０】
0005203780.tif 000021
【図２１】
0005203780.tif 000022
【図２２】
0005203780.tif 000023